(57)【要約】      （修正有）【課題】発泡断熱材を扉内に発泡させる際に、扉の前面材である面材に歪みが生じるのを抑えることができる冷蔵庫を提供する。【解決手段】冷蔵庫は、前面開口部を有する冷蔵庫本体と、面材１２，１５と面材１２，１５の内側に発泡断熱材１７，１９を有し、前面開口部を開閉する扉８，９を備え、扉８，９の端面には取っ手部２０，３０が設けられ、取っ手部２０，３０の前側にリブ２１，３１を設け、取っ手部２０，３０とリブ２１，３１により面材１２，１５が保持されている。【選択図】図３
2018115784.tif 000002
【特許請求の範囲】
【請求項１】
前面開口部を有する冷蔵庫本体と、
面材と前記面材の内側に発泡断熱材を有し、前記前面開口部を開閉する扉と、を備え、
前記扉の端面には取っ手部が設けられ、前記取っ手部の前側にリブを設け、前記取っ手部と前記リブにより前記面材が保持されていることを特徴とする冷蔵庫。
【請求項２】
前記取っ手部は、前記面材の背面に当接されていることを特徴とする請求項１に記載の冷蔵庫。
【請求項３】
前記取っ手部は、凹形状に形成されており、前記取っ手部の前記凹形状の最も深い部分の位置は、前記扉の背面側から取り付けられるガスケットの中心位置よりも、低くなっていることを特徴とする請求項１または２に記載の冷蔵庫。
【請求項４】
前記取っ手部は、前記扉の全幅方向に設けられていることを特徴とする請求項１ないし３のいずれかに記載の冷蔵庫。
【発明の詳細な説明】
【技術分野】
【０００１】
本発明の実施の形態は、冷蔵庫に関する。
【背景技術】
【０００２】
冷蔵庫は、冷蔵庫本体の前面に扉を備えており、扉には取っ手が設けられている(特許文献１を参照)。
【先行技術文献】
【特許文献】
【０００３】
【特許文献１】特許第４９２６２３０号
【発明の概要】
【発明が解決しようとする課題】
【０００４】
従来の冷蔵庫では、扉の前面板である面材の端部は、扉の端面に配置されているキャップに保持している。扉の面材のカラーバリエーションが増えて、特に高光沢や濃厚色を使用した面材が用いられている。
【０００５】
扉の面材が例えば鋼板である場合には、扉の面材の内側に、発泡断熱材であるウレタン発泡材を発泡して充填させると、ウレタン発泡材が面材を内側から押すことから、面材の外観に歪みが発生する場合がある。特に、面材として高光沢や濃厚色の鋼板を使用している場合には、面材には外観上の歪みが顕著に表れて、冷蔵庫の外観が損なわれるおそれがある。
【０００６】
本発明は、上記に鑑みてなされたもので、その目的とするところは、発泡断熱材を扉内に発泡させる際に、扉の前面材である面材に歪みが生じるのを抑えることができる冷蔵庫を提供することにある。
【課題を解決するための手段】
【０００７】
本発明の実施の形態の冷蔵庫は、前面開口部を有する内箱と外箱の間に発泡断熱材が配置された冷蔵庫本体と、面材と前記面材の内側に発泡断熱材を有し、前記前面開口部を開閉する扉と、を備え、前記扉の端面には取っ手部が設けられ、前記取っ手部の前側にリブを設け、前記取っ手部と前記リブにより前記面材が保持されている。
【図面の簡単な説明】
【０００８】
【図１】本発明の第１実施形態の冷蔵庫の全体を示す正面図である。
【図２】図1の冷蔵庫の内部構造例を示す模式図である。
【図３】図２に示す扉と扉の領域部分Ｒの構造例を拡大して示す断面図である。
【図４】比較例を示す図である。
【図５】本発明の第２実施形態を示す正面図である。
【発明を実施するための形態】
【０００９】
以下、図面を用いて、本発明の実施するための形態（以下、実施形態と称する）を説明する。
【００１０】
＜第１実施形態＞
（冷蔵庫1の全体構成）
図１は、本発明の第１実施形態の冷蔵庫の全体を示す正面図である。図２は、図1の冷蔵庫の内部構造例を示す模式図である。
【００１１】
図１に示す冷蔵庫１は、冷蔵庫本体２を有している。この冷蔵庫１の冷蔵庫本体２は、図２に示すように、外側側板からなる外箱３と、内側側板からなる内箱４を有する。外箱３と内箱４の間には、ウレタン発泡材のような発泡断熱材５が、発泡することにより充填されている。これにより、冷蔵庫本体２は、発泡断熱材５により断熱されている。
【００１２】
冷蔵庫本体２の内箱４の内部には、複数の貯蔵室が形成されている。冷蔵庫本体２の上側には、冷凍温度帯に冷却可能な冷凍区画としての冷凍室６が配置され、冷凍室６の下側には、冷蔵温度帯に冷却可能な冷蔵区画としての冷蔵室７が配置されている。冷蔵室７は、野菜室等を含んでいる。
【００１３】
図１と図２に示すように、冷凍室６の前面には、前面開口部６Ｐを有している。冷凍室６は片開き式の扉８を有し、扉８は、この前面開口部６Ｐを開閉できるように、ヒンジを用いて冷蔵庫本体２に取り付けられている。扉８は、上下のキャップ１０，１１と、面材１２を有する。面材１２の上端部と下端部は、それぞれキャップ１０，１１により上下から挟み込まれることで、取り付けられている。
【００１４】
同様にして、図１と図２に示すように、冷蔵室７の前面には、前面開口部７Ｐを有している。冷凍室７は片開き式の扉９を有し、扉９は、この前面開口部７Ｐを開閉できるように、ヒンジを用いて冷蔵庫本体２に取り付けられている。扉９は、上下のキャップ１３，１４と、面材１５を有する。面材１５の上下端部は、それぞれキャップ１３，１４により上下から挟み込まれることで、取り付けられている。
【００１５】
この面材１２，１５は、それぞれ扉８，９の前面を覆っている前面材であり、好ましくは鋼板である。この鋼板は、例えば冷蔵庫の前面側の美的外観を向上させるために、高光沢の鋼板や濃厚色の鋼板を使用している。
【００１６】
図３は、図２に示す扉８と扉９の領域部分Ｒの構造例を拡大して示す断面図である。この領域部分Ｒは、扉８の下部と扉９の上部を含んでいる。図３では、扉８の下側のキャップ１１と、扉８の面材１２と、扉９の上側のキャップ１３と、扉９の面材１５等を示している。下側のキャップ１１と上側のキャップ１３は、ともに例えばプラスチック製であるが、金属製でも良い。
【００１７】
図２に示すように、扉８の面材１２と上下のキャップ１０，１１と内板１６の間には、ウレタン発泡材のような発泡断熱材１７が、発泡することにより充填されている。同様にして、扉９の面材１５と、上下のキャップ１３，１４と内板１８の間には、ウレタン発泡材のような発泡断熱材１９が、発泡することにより充填されている。
【００１８】
まず、図３を参照して、扉８の下側のキャップ１１の構造例を説明する。
【００１９】
扉８のキャップ１１は、取っ手部２０と、前側のリブ２１と、ガスケット受け部２２と、平坦部２４を有している。キャップ１３は、取っ手部３０と、前側のリブ３１と、ガスケット受け部３２と、平坦部３４を有している。
【００２０】
図１に示す冷蔵庫1の例では、破線で示すように、取っ手部２０，３０は、冷蔵庫本体２の左右方向であるＸ方向に沿って、所定の長さ分、例えば使用者の手指が取っ手部２０，３０に挿入して掛けることができる十分な長さだけ、設けられている。
【００２１】
図１に示すＺ方向は、冷蔵庫1の上下方向であり、Ｙ方向は冷蔵庫1の奥行方向である。Ｘ、Ｙ、Ｚ方向は直交している。取っ手部２０，３０は、使用者が手指を挿入して扉８，９をそれぞれ開閉操作するための部分であるが、ハンドルと呼ぶことができる。
【００２２】
キャップ１１の取っ手部２０は、最も前側に位置されるリブ２１と、リブ２１の後側に位置される平坦部２４との間の位置に形成されている。取っ手部２０は、扉８の下面であってしかも扉８の面材１２の内側において、Ｚ１方向に沿って上向きに突出するようにして逆凹形状に形成されている。
【００２３】
この取っ手部２０は、使用者の手指が掛けやすいようにするために、ほぼ横に向けたＣ字型形状の断面を有している。取っ手部２０は、使用者が手指を上に向けて入れることで、扉８を操作して前面開口部６Ｐを開閉する。
【００２４】
リブ２１は、取っ手部２０の前側部分２０Ａに連続して形成されており、Ｚ１方向に沿って上向きに形成されている。リブ２１の内面２１Ａと取っ手部２０の前側部分２０Ａの間には、面材取付溝２３が形成されている。リブ２１のＺ1方向の高さは、取っ手部２０の高さ寸法Ｈ１よりも小さい。これにより、リブ２１が面材1２の表面側においてできる限り目立たないようにすることができる。
【００２５】
平坦部分２４が、取っ手部２０の後側部分２０Ｂとガスケット受け部２２の間に形成されている。ガスケット受け部２２は、後側の部品のガスケット２５を挿入することにより後側の部品を固定する。
【００２６】
図３に示すように、面材１２の下端部が、面材取付溝２３にはめ込まれることで、キャップ１１に対して保持または固定されている。リブ２１の内面２１Ａと取っ手部２０の前側部分２０Ａは、面材１２の表面と背面にそれぞれ当接している。これにより、面材１２の下端部は、キャップ１１のリブ２１の内面２１Ａと取っ手部２０の前側部分２０Ａの間に挟まれるようにして、確実に保持または固定できる。
【００２７】
このため、図２に示すように、扉８の面材１２と上下のキャップ１０，１１と内板１６の間に、発泡断熱材１７が充填されても、発泡断熱材１７が発泡したときに、面材１２に外観歪みが発生するのを抑えることができる。従って、扉８の前面材として濃厚色や高光沢の鋼板のような面材１２を用いても、面材１２の外観歪みを抑えることができる。
【００２８】
このような構成の扉８の内部に、発泡断熱材１７が発泡することで充填されるときに、発泡断熱材１７は、面材１２の下端部の内面とキャップ１１の上面側に形成されている扉8の空間の内部の隅々まで、隙間が生じることなく充填させることができる。このため、扉8の内部には隙間が生じにくいので、扉８の断熱性を上げることができる。
【００２９】
なお、面材１２の下端部は、この面材取付溝２３にはめ込まれてはいるが、仮に、面材１２の背面側と取っ手部２０の前側部分２０Ａとの間に隙間が生じていたとしても、この隙間には、発泡断熱材１７が充填されるので、面材１２の下端部は確実に固定できる。
【００３０】
次に、図３を参照して、扉９の上側のキャップ１３の構造例を説明する。
【００３１】
扉９のキャップ１３の取っ手部３０は、リブ３１と平坦部３４の間の位置に形成されており、取っ手部３０は、扉９の内部において、Ｚ２方向に沿って下向きに突出するようにして凹形状に形成されている。この取っ手部３０は、ほぼＪ字型形状の断面を有している。取っ手部２０は、冷蔵庫の使用者が手指を下に向けて入れることで、扉９を操作して前面開口部７Ｐを開閉するために設けられている。
【００３２】
リブ３１は、取っ手部３０の前側部分３０Ａに連続して形成されており、Ｚ２方向に沿って下向きに形成されている。リブ３１の内面３１Ａと取っ手部３０の前側部分３０Ａの間には、面材取付溝３３が形成されている。
【００３３】
平坦部分３４が、取っ手部３０の後側部分３０Ｂとガスケット受け部３２の間に形成されている。ガスケット受け部３２は、後側の部品のガスケット３５を挿入することにより後側の部品を固定している。
【００３４】
面材１５の上端部は、この面材取付溝３３にはめ込まれることで、キャップ１３に対して保持または固定されている。リブ３１の内面３１Ａと取っ手部３０の前側部分３０Ａは、面材１５の表面と背面にそれぞれ当接している。
【００３５】
これにより、面材１５の上端部は、キャップ１３に対して、リブ３１の内面３１Ａと取っ手部３０の前側部分３０Ａの間に挟まれるようにして、確実に保持または固定できる。このため、扉９の面材１５と上下のキャップ１３，１４と内板の間に発泡断熱材１９が充填されて発泡したときに、面材１５に外観歪みが発生するのを抑えることができる。従って、扉９の前面材として高光沢や濃厚色の鋼板のような面材１５を用いても、面材１５の外観歪みを抑えることができる。
【００３６】
このような構成の扉９の内部に、発泡断熱材１９が充填されるときに、発泡断熱材１９は、面材１５の内面とキャップ１３の下面側の隅々まで隙間を生じることがなく、充填させることができる。このため、扉９の内部には隙間が生じにくいので、扉９の断熱性を上げることができる。
【００３７】
面材１５の上端部は、面材取付溝３３にはめ込まれてはいるが、仮に面材１５の内面側と取っ手部３０の前側部分３０Ａとの間に隙間が生じていたとしても、この隙間には、発泡断熱材１９が充填されるので、面材１５の上端部は確実に固定できる。
【００３８】
図３に示すように、扉８側の取っ手部２０の上端部と下端部との間の寸法、すなわち取っ手部２０の高さ寸法は、Ｈ１で表す。扉９側の取っ手部３０の上端部と下端部との間の寸法、すなわち取っ手部３０の高さ寸法は、Ｈ２で表す。また、取っ手部２０の下端部と取っ手部３０の前側部分３０Ａとの間に形成されている空間の寸法は、Ａで表す。取っ手部３０の前側部分３０Ａと後側部分３０Ｂとの間の寸法は、Ｂで表す。好ましくは、取っ手部２０の高さ寸法Ｈ１，Ｈ２は、空き寸法Ａよりも小さく、寸法Ｂよりも小さく設定されている。これにより、空き寸法Ａと寸法Ｂが大きく設定されているので、使用者は、手指を扉８側の取っ手部２０であっても、扉９側の取っ手部３０であっても、自由に選択して扉８あるいは扉９を開けることができる。
【００３９】
また、図３に示すように、取っ手部２０の凹部の深さの大きさを表す取っ手部２０の高さ寸法Ｈ１の位置は、ガスケット２５の中心位置Ｌよりも下にある。取っ手部２０の高さ寸法Ｈ１の位置がガスケット２５の中心位置Ｌよりも低いことから、取っ手部２０の高さ寸法Ｈ１は、使用者の手指の第一関節の長さに相当する。これにより、使用者は、手指の第一関節当たりを取っ手部２０内に入れて、扉8の開閉操作を容易に行うことができる。
【００４０】
図１に示す第1実施形態では、扉８の取っ手部２０と扉９の取っ手部３０は、冷蔵庫本体２の左右方向であるＸ方向（扉８，９の全幅方向）に沿って、例えば使用者の手指が取っ手部２０，３０に挿入して掛けることができる十分な長さだけ、設けられている。
【００４１】
扉８の取っ手部２０と扉９の取っ手部３０が設けられているので、扉８の中に発泡断熱材１７を充填しても、扉８の前面側では、面材１２の外観歪みが生じるのを抑制でき、扉９の中に発泡断熱材１９を充填しても、扉９の前面側では、面材１５の外観歪みが生じるのを抑制できる。
【００４２】
（比較例の説明）
ここで、図４に示す本発明の範囲外である冷蔵庫の比較例を参照して、比較例の取っ手部を有するキャップ１２０等の形状を説明する。図４は、比較例の冷蔵庫における取っ手部１２３を有するキャップ１２０と、別のキャップ２２０を示している。
【００４３】
図４に示す比較例では、上側の扉１０８の面材１１２の表面は、キャップ１２０のリブ１２１に当てて保持されている。このキャップ１２０では、リブ１２１の内側に、突起１２２と取っ手部１２３が、Ｚ方向に立てて設けられている。このリブ１２１のＺ方向の高さが大きく、突起１２２のＺ方向の高さも大きい。突起１２２と取っ手部１２３の位置は、リブ１２１の位置からは離れている。
【００４４】
このため、面材１１２の背面と突起１２２の隙間と、突起１２２と取っ手部１２３の隙間には、発泡断熱材１３０が入り込み難いので、発泡断熱材１３０の接着面積が少なくなり、面材１１２の下端部は、確実にキャップ１２０に対して固定できない。この突起１２２の存在は、発泡断熱材１３０の充填には邪魔になる。このことから、発泡断熱材１３０が発泡したときに、面材１１２に外観歪みが発生するのを抑えることができない。
【００４５】
また、下側の扉１０９の面材１１５の表面は、キャップ２２０のリブ２２１に当てて保持されている。このキャップ２２０には、リブ２２１の内側に、突起２２２がＺ方向に立てて設けられている。このリブ２２１のＺ方向の高さが大きく、突起２２２のＺ方向の高さも大きい。
【００４６】
このため、面材１１５の背面と突起２２２の隙間には、発泡断熱材２３０が入り込み難いので、発泡断熱材２３０の接着面積が少なく、面材１１５の上端部は、確実にキャップ２２０に対して固定できない。この突起２２２の存在は、発泡断熱材２３０の充填には邪魔になる。このことから、発泡断熱材２３０が発泡したときに、面材１１５に外観歪みが発生するのを抑えることができない。
【００４７】
（第２実施形）
次に、図５を参照して、本発明の冷蔵庫の第２実施形態を説明する。
【００４８】
図５は、本発明の冷蔵庫の第２実施形態を示す正面図である。
【００４９】
図５に示す冷蔵庫１Ａが、図１に示す冷蔵庫１と実施的に同じ個所には同じ符号を期してその説明を省略する。図５に示す冷蔵庫１Ａが図１に示す冷蔵庫１と異なるのは、取っ手部２０，３０のＸ方向に関する長さができるだけ大きく設定されていることである。
【００５０】
図１に示す第1実施形態では、扉８の取っ手部２０と扉９の取っ手部３０は、冷蔵庫本体２の左右方向であるＸ方向（扉８，９の全幅方向）に沿って、例えば使用者の手指が取っ手部２０，３０に挿入して掛けることができる十分な長さだけ、設けられている。
【００５１】
これに対して、図５に示す第２実施形態の冷蔵庫１Ａでは、扉８の取っ手部２０と扉９の取っ手部３０は、冷蔵庫本体２の左右方向であるＸ方向（扉８，９の全幅方向）に沿って、全幅にわたりもしくは、ほぼ全幅にわたって長くなるように、できるだけ大きくなっている。
【００５２】
これにより、扉８の前面側では、面材１２が冷蔵庫本体２の左右方向であるＸ方向に沿って、全幅にわたり、もしくはほぼ全幅にわたって外観歪みが生じるのを抑制でき、扉９の前面側では、面材１５が冷蔵庫本体２の左右方向であるＸ方向に沿って、全幅にわたり、もしくはほぼ全幅にわたって外観歪みが生じるのを抑制できる。
【００５３】
しかも、扉８の取っ手部２０と扉９の取っ手部３０は、冷蔵庫本体２の左右方向であるＸ方向に沿って、全幅にわたり、もしくはほぼ全幅にわたって設けられているので、使用者は、手指を取っ手部２０，３０に挿入し易く、扉８，９を開閉操作するときの使い勝手が向上する。
【００５４】
以上説明したように、本発明の実施形態の冷蔵庫１，１Ａは、冷蔵庫本体２と、面材１２，１５と面材１２，１５の内側に発泡断熱材１７，１９を有し、前面開口部６Ｐ，７Ｐを開閉する扉８，９を備え、扉８，９の端面には取っ手部２０，３０が設けられ、取っ手部２０，３０の前側にリブ２１，３１を設け、取っ手部２０，３０とリブ２１，３１により面材１２，１５が保持されている。
【００５５】
これにより、面材１２，１５は、リブ２１，３１と取っ手部２０，３０とにより、それぞれ確実に挟み込んで保持でき、発泡断熱材１７，１９は面材１２，１５の先端部まで充填することができる。このため、発泡断熱材１７，１９をそれぞれ扉８，９内に発泡させて充填させる際に、扉８，９の前面材である面材１２，１５の凹凸の発生を防いで、面材１２，１５の外観歪みを抑制して歪みが目立ちにくくなる。このように、扉８，９の前面材である面材１２，１５に歪が生じるのを抑えることができる。
【００５６】
取っ手部２０，３０は、面材１２，１５の背面にそれぞれ当接されている。これにより、面材１２，１５は、リブ２１，３１と取っ手部２０，３０とにより、それぞれ挟み込んでより確実に固定でき、発泡断熱材１７は面材１２，１５の先端部まで充填することができる。このため、扉８，９の前面材である面材１２，１５の凹凸を抑制でき、面材１２，１５の外観歪みを目立ちにくくする。
【００５７】
取っ手部２０は、凹形状に形成されており、取っ手部２０の凹形状の最も深い部分の位置（Ｈ１）は、扉２０の背面側から取り付けられるガスケット２５の中心位置Ｌよりも、低くなっている。これにより、好ましくは取っ手部２０の凹形状の深さは、使用者の手指の第一関節までを取っ手部に挿入して引っ掛ける高さに設定することができる。このため、使用者は手指の第一関節を取っ手部２０に引っ掛けた状態で、扉８を容易に開閉操作することができる。しかも、取っ手部２０の高さをガスケット２５の中心位置Ｌよりも低くすることで、取っ手部２０の高さをできる限り低くできるので、発泡断熱材１７は面材１２の先端部まで、確実に充填することができる。このため、面材１２の凹凸を抑制でき、外観歪みを目立ちにくくする。
【００５８】
取っ手部２０，３０は、扉８，９の全幅方向（Ｘ方向）に沿って、設けられている。これにより、扉８の前面側では、面材１２，１５が、冷蔵庫本体２の左右方向であるＸ方向に沿って外観歪みを生じる現象を抑制できるので、取っ手部２０，３０の前面側の歪みを軽減できる。しかも、取っ手部２０，３０は、扉８，９の全幅方向（Ｘ方向）に沿って、設けられているので、使用者が、手指を取っ手部２０，３０に挿入し易く、扉８，９を開閉操作するときに、開閉時の使い勝手が向上する。
【００５９】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６０】
図示例の冷蔵庫１の構造は、一例であり、任意の構造を採用することができる。例えば、冷蔵庫１，１Ａでは、片開き式の扉８が、冷蔵庫本体２の上側の冷凍室６の前面開口部６Ｐを開閉可能になっている。しかしこれに限らず、例えば冷蔵庫本体２の上側には冷蔵室を設けて、冷蔵室の前面開口部は、両開き式の左右の扉により開閉できるようにしても良い。
【符号の説明】
【００６１】
１      冷蔵庫
１Ａ    冷蔵庫
２      本体
３      外箱
４      内箱
６      冷凍室
６Ｐ    前面開口部
７      冷蔵室
７Ｐ    前面開口部
８，９  扉
１１    キャップ
１２    面材
１３    キャップ
１５    面材
１７    発泡断熱材
１９    発泡断熱材
２０    取っ手部
２１    リブ
３０    取っ手部
３１    リブ
【図１】
2018115784.tif 000003
【図２】
2018115784.tif 000004
【図３】
2018115784.tif 000005
【図４】
2018115784.tif 000006
【図５】
2018115784.tif 000007